(57)【要約】本開示のある態様は、ユーザ機器（ＵＥ）の第１のラジオ・アクセス技術（ＲＡＴ）から第２のＲＡＴへのハンドオーバ中におけるベアラ・カウント・アライメントのための方法を提供する。ＵＥは、第２のＲＡＴとのラジオ・リソース制御（ＲＲＣ）接続を確立し、ＵＥのデータ・ラジオ・ベアラ（ＤＲＢ）能力を第２のネットワークへ送信する。第２のネットワークは、この情報を用いて、ＵＥにＤＲＢをセットアップする。
2012503452.tif 000002
【特許請求の範囲】
【請求項１】
ユーザ機器（ＵＥ）による無線通信のための方法であって、
第２のネットワークへハンドオーバするために、第１のネットワークからメッセージを受信することと、
前記第２のネットワークとのラジオ・リソース制御（ＲＲＣ）接続を確立することと、
前記ＵＥのデータ・ラジオ・ベアラ（ＤＲＢ）能力を、前記第２のネットワークへ送信することとを備え、
前記ＤＲＢ能力は、前記ＵＥによってサポートされているＤＲＢの数を含む方法。
【請求項２】
前記第１のネットワークはＧＥＲＡＮであり、ＧＥＲＡＮは、ＧＳＭ  ＥＤＧＥラジオ・アクセス・ネットワークを表し、ＧＳＭは、グローバル・システム・フォー・モバル・テレコミュニケーションを表し、ＥＤＧＥは、エンハンスト・データ・レート・フォーＧＳＭイボリューションを表す請求項１に記載の方法。
【請求項３】
前記第１のネットワークはＵＴＲＡＮであり、ＵＴＲＡＮは、ＵＭＴＳ地上ラジオ・アクセス・ネットワークを表し、ＵＭＴＳは、ユニバーサル・モバイル・テレコミュニケーション・システムを表す請求項１に記載の方法。
【請求項４】
前記第２のネットワークはＥ−ＵＴＲＡＮであり、Ｅ−ＵＴＲＡＮは、発展型ＵＭＴＳ地上ラジオ・アクセス・ネットワークを表し、ＵＭＴＳは、ユニバーサル・モバイル・テレコミュニケーション・システムを表す請求項１に記載の方法。
【請求項５】
前記ＵＥのＤＲＢ能力は、ＲＲＣ接続セットアップ中に送信される請求項１に記載の方法。
【請求項６】
前記ＵＥのＤＲＢ能力は、ＲＲＣ接続セットアップ完了メッセージ内のフィールドで送信され、前記フィールドは、１または複数のビットを含む請求項５に記載の方法。
【請求項７】
第１のネットワークによる無線通信のための方法であって、
ユーザ機器（ＵＥ）のハンドオーバの通知と、前記ＵＥに関連付けられたコンテキストとを、第１のネットワークとは異なる第２のネットワークから受信することと、
前記ＵＥとのラジオ・リソース制御（ＲＲＣ）接続を確立することと、
前記ＵＥのデータ・ラジオ・ベアラ（ＤＲＢ）能力を受信することと、
前記受信したＵＥコンテキストに基づいて、前記ＤＲＢを前記ＵＥにセットアップすることとを備え、
前記ＤＲＢの数は、前記ＵＥのＤＲＢ能力に等しい方法。
【請求項８】
前記第２のネットワークはＧＥＲＡＮであり、ＧＥＲＡＮは、ＧＳＭ  ＥＤＧＥラジオ・アクセス・ネットワークを表し、ＧＳＭは、グローバル・システム・フォー・モバル・テレコミュニケーションを表し、ＥＤＧＥは、エンハンスト・データ・レート・フォーＧＳＭイボリューションを表す請求項７に記載の方法。
【請求項９】
前記第２のネットワークはＵＴＲＡＮであり、ＵＴＲＡＮは、ＵＭＴＳ地上ラジオ・アクセス・ネットワークを表し、ＵＭＴＳは、ユニバーサル・モバイル・テレコミュニケーション・システムを表す請求項７に記載の方法。
【請求項１０】
前記第１のネットワークはＥ−ＵＴＲＡＮであり、Ｅ−ＵＴＲＡＮは、発展型ＵＭＴＳ地上ラジオ・アクセス・ネットワークを表し、ＵＭＴＳは、ユニバーサル・モバイル・テレコミュニケーション・システムを表す請求項７に記載の方法。
【請求項１１】
前記ＵＥのＤＲＢ能力は、前記ＲＲＣ接続セットアップ中に送信される請求項７に記載の方法。
【請求項１２】
前記ＵＥのＤＲＢ能力は、ＲＲＣ接続セットアップ完了メッセージ内のフィールドで受信され、前記フィールドは、１または複数のビットを含む請求項１０に記載の方法。
【請求項１３】
前記ＤＲＢを前記ＵＥにセットアップすることは、
前記ＵＥと前記第１のネットワークとの間で前記ＲＲＣ接続が確立されると、すべてのＵＥによってサポートされている最小数のＤＲＢに等しい、最低数のＤＲＢをセットアップすることと、
前記第１のネットワークが、前記ＵＥのＤＲＢ能力に関する情報を受信した後、すでにセットアップされている最低数のＤＲＢに含まれない残りのＤＲＢをセットアップすることと
を備える請求項７に記載の方法。
【請求項１４】
前記ＵＥと前記第１のネットワークとの間で前記ＲＲＣ接続が確立されるとセットアップされる最低数のＤＲＢは、前記ＤＲＢの特性と、前記ＤＲＢが関連付けられているサービスとに少なくとも部分的に基づいて選択される請求項１３に記載の方法。
【請求項１５】
前記ＤＲＢの特性は、前記ＤＲＢに関連付けられたサービスの中断に対する許容度を示すインジケータを備える請求項１４に記載の方法。
【請求項１６】
前記ＵＥと前記第２のネットワークとの間で前記ＲＲＣ接続が確立されるとセットアップされる最低数のＤＲＢのうちの少なくとも１つは、前記残りのＤＲＢに関連付けられたサービスよりも、中断に対する許容度が小さいサービスに関連している請求項１３に記載の方法。
【請求項１７】
前記第１のネットワークは、前記ＵＥにすべてのＤＲＢを同時にセットアップする請求項７に記載の方法。
【請求項１８】
前記ＵＥに関連付けられたコンテキストは、パケット・データ・プロトコル（ＰＤＰ）コンテキストを含む請求項７に記載の方法。
【請求項１９】
ユーザ機器（ＵＥ）による無線通信のための装置であって、
第２のネットワークへのハンドオーバのためのメッセージを第１のネットワークから受信するためのロジックと、
前記第２のネットワークとのラジオ・リソース制御（ＲＲＣ）接続を確立するためのロジックと、
前記ＵＥのデータ・ラジオ・ベアラ（ＤＲＢ）能力を、前記第２のネットワークへ送信するためのロジックとを備え、
前記ＤＲＢ能力は、前記ＵＥによってサポートされているＤＲＢの数を含む装置。
【請求項２０】
前記第１のネットワークはＧＥＲＡＮであり、前記ＧＥＲＡＮは、ＧＳＭ  ＥＤＧＥラジオ・アクセス・ネットワークを表し、ＧＳＭは、グローバル・システム・フォー・モバル・テレコミュニケーションを表し、ＥＤＧＥは、エンハンスト・データ・レート・フォーＧＳＭイボリューションを表す請求項１９に記載の装置。
【請求項２１】
前記第１のネットワークはＵＴＲＡＮであり、ＵＴＲＡＮは、ＵＭＴＳ地上ラジオ・アクセス・ネットワークを表し、ＵＭＴＳは、ユニバーサル・モバイル・テレコミュニケーション・システムを表す請求項１９に記載の装置。
【請求項２２】
前記第２のネットワークはＥ−ＵＴＲＡＮであり、Ｅ−ＵＴＲＡＮは、発展型ＵＭＴＳ地上ラジオ・アクセス・ネットワークを表し、ＵＭＴＳは、ユニバーサル・モバイル・テレコミュニケーション・システムを表す請求項１９に記載の装置。
【請求項２３】
前記ＵＥのＤＲＢ能力は、前記ＲＲＣ接続セットアップ中に送信される請求項１９に記載の装置。
【請求項２４】
前記ＵＥのＤＲＢ能力は、ＲＲＣ接続セットアップ完了メッセージ内のフィールドで送信され、前記フィールドは、１または複数のビットを含む請求項２３に記載の装置。
【請求項２５】
第１のネットワークによる無線通信のための方法であって、
ユーザ機器（ＵＥ）のハンドオーバの通知と、前記ＵＥに関連付けられたコンテキストとを、第１のネットワークとは異なる第２のネットワークから受信するためのロジックと、
前記ＵＥとのラジオ・リソース制御（ＲＲＣ）接続を確立するためのロジックと、
前記ＵＥのデータ・ラジオ・ベアラ（ＤＲＢ）能力を受信するためのロジックと、
前記受信したＵＥコンテキストに基づいて、前記ＤＲＢを前記ＵＥにセットアップするためのロジックとを備え、
前記ＤＲＢの数は、前記ＵＥのＤＲＢ能力に等しい装置。
【請求項２６】
前記第２のネットワークはＧＥＲＡＮであり、ＧＥＲＡＮは、ＧＳＭ  ＥＤＧＥラジオ・アクセス・ネットワークを表し、ＧＳＭは、グローバル・システム・フォー・モバル・テレコミュニケーションを表し、ＥＤＧＥは、エンハンスト・データ・レート・フォーＧＳＭイボリューションを表す請求項２５に記載の装置。
【請求項２７】
前記第２のネットワークはＵＴＲＡＮであり、ＵＴＲＡＮは、ＵＭＴＳ地上ラジオ・アクセス・ネットワークを表し、ＵＭＴＳは、ユニバーサル・モバイル・テレコミュニケーション・システムを表す請求項２５に記載の装置。
【請求項２８】
前記第１のネットワークはＥ−ＵＴＲＡＮであり、Ｅ−ＵＴＲＡＮは、発展型ＵＭＴＳ地上ラジオ・アクセス・ネットワークを表し、ＵＭＴＳは、ユニバーサル・モバイル・テレコミュニケーション・システムを表す請求項２５に記載の装置。
【請求項２９】
前記ＵＥのＤＲＢ能力は、前記ＲＲＣ接続セットアップ中に送信される請求項２５に記載の装置。
【請求項３０】
前記ＵＥのＤＲＢ能力は、ＲＲＣ接続セットアップ完了メッセージ内のフィールドで送信され、前記フィールドは、１または複数のビットを含む請求項２５に記載の装置。
【請求項３１】
前記ＤＲＢを前記ＵＥにセットアップすることは、
前記ＵＥと前記第１のネットワークとの間で前記ＲＲＣ接続が確立されると、すべてのＵＥによってサポートされている最小数のＤＲＢに等しい、最低数のＤＲＢをセットアップするためのロジックと、
前記第１のネットワークが、前記ＵＥのＤＲＢ能力に関する情報を受信した後、すでにセットアップされている最低数のＤＲＢに含まれない残りのＤＲＢをセットアップするためのロジックと
を備える請求項２５に記載の装置。
【請求項３２】
前記ＵＥと前記第１のネットワークとの間で前記ＲＲＣ接続が確立されるとセットアップされる最低数のＤＲＢは、前記ＤＲＢの特性と、前記ＤＲＢが関連付けられているサービスとに少なくとも部分的に基づいて選択される請求項３１に記載の装置。
【請求項３３】
前記ＤＲＢの特性は、前記ＤＲＢに関連付けられたサービスの中断に対する許容度を示すインジケータを備える請求項３２に記載の装置。
【請求項３４】
前記ＵＥと前記第２のネットワークとの間で前記ＲＲＣ接続が確立されるとセットアップされる最低数のＤＲＢのうちの少なくとも１つは、前記残りのＤＲＢに関連付けられたサービスよりも、中断に対する許容度が小さいサービスに関連している請求項３１に記載の装置。
【請求項３５】
前記第１のネットワークは、前記ＵＥにすべてのＤＲＢを同時にセットアップする請求項３１に記載の装置。
【請求項３６】
前記ＵＥに関連付けられたコンテキストは、パケット・データ・プロトコル（ＰＤＰ）コンテキストを含む請求項３１に記載の装置。
【請求項３７】
ユーザ機器（ＵＥ）による無線通信のための装置であって、
第２のネットワークへのハンドオーバのためのメッセージを第１のネットワークから受信する手段と、
前記第２のネットワークとのラジオ・リソース制御（ＲＲＣ）接続を確立する手段と、
前記ＵＥのデータ・ラジオ・ベアラ（ＤＲＢ）能力を、前記第２のネットワークへ送信する手段とを備え、
前記ＤＲＢ能力は、前記ＵＥによってサポートされているＤＲＢの数を含む装置。
【請求項３８】
第１のネットワークによる無線通信のための装置であって、
ユーザ機器（ＵＥ）のハンドオーバの通知と、前記ＵＥに関連付けられたコンテキストとを、第１のネットワークとは異なる第２のネットワークから受信する手段と、
前記ＵＥとのラジオ・リソース制御（ＲＲＣ）接続を確立する手段と、
前記ＵＥのデータ・ラジオ・ベアラ（ＤＲＢ）能力を受信する手段と、
前記受信したＵＥコンテキストに基づいて、前記ＤＲＢを前記ＵＥにセットアップする手段とを備え、
前記ＤＲＢの数は、前記ＵＥのＤＲＢ能力に等しい装置。
【請求項３９】
ユーザ設備（ＵＥ）による無線通信のためのコンピュータ・プログラム製品であって、
１または複数のプロセッサによって実行可能である、格納された命令群を有するコンピュータ読取可能媒体を備え、前記命令群は、
第２のネットワークへハンドオーバするために、第１のネットワークからメッセージを受信するための命令群と、
前記第２のネットワークとのラジオ・リソース制御（ＲＲＣ）接続を確立するための命令群と、
前記ＵＥのデータ・ラジオ・ベアラ（ＤＲＢ）能力を、前記第２のネットワークへ送信するための命令群とを備え、
前記ＤＲＢ能力は、前記ＵＥによってサポートされているＤＲＢの数を含むコンピュータ・プログラム製品。
【請求項４０】
第１のネットワークによる無線通信のためのコンピュータ・プログラム製品であって、
１または複数のプロセッサによって実行可能である、格納された命令群を有するコンピュータ読取可能媒体を備え、前記命令群は、
ユーザ機器（ＵＥ）のハンドオーバの通知と、前記ＵＥに関連付けられたコンテキストとを、第１のネットワークとは異なる第２のネットワークから受信するための命令群と、
前記ＵＥとのラジオ・リソース制御（ＲＲＣ）接続を確立するための命令群と、
前記ＵＥのデータ・ラジオ・ベアラ（ＤＲＢ）能力を受信するための命令群と、
前記受信したＵＥコンテキストに基づいて、前記ＤＲＢを前記ＵＥにセットアップするための命令群とを備え、
前記ＤＲＢの数は、前記ＵＥのＤＲＢ能力に等しいコンピュータ・プログラム製品。
【請求項４１】
ユーザ機器（ＵＥ）による無線通信のための装置であって、
第２のネットワークへのハンドオーバのためのメッセージを第１のネットワークから受信し、
前記第２のネットワークとのラジオ・リソース制御（ＲＲＣ）接続を確立し、
前記ＵＥのデータ・ラジオ・ベアラ（ＤＲＢ）能力を、前記第２のネットワークへ送信するように構成された少なくとも１つのプロセッサを備え、
前記ＤＲＢ能力は、前記ＵＥによってサポートされているＤＲＢの数を含む装置。
【請求項４２】
第１のネットワークによる無線通信のための装置であって、
ユーザ機器（ＵＥ）のハンドオーバの通知と、前記ＵＥに関連付けられたコンテキストとを、第１のネットワークとは異なる第２のネットワークから受信し、
前記ＵＥとのラジオ・リソース制御（ＲＲＣ）接続を確立し、
前記ＵＥのデータ・ラジオ・ベアラ（ＤＲＢ）能力を受信し、
前記受信したＵＥコンテキストに基づいて、前記ＤＲＢを前記ＵＥにセットアップする
ように構成された少なくとも１つのプロセッサを備え、
前記ＤＲＢの数は、前記ＵＥのＤＲＢ能力に等しい装置。
【発明の詳細な説明】
【優先権主張】
【０００１】
本願は、２００８年９月２２日に出願され本願の譲受人に譲渡され本明細書に参照によって明確に組み込まれた米国仮出願６１／０９９，１１７号の利益を主張する。
【技術分野】
【０００２】
本開示のある態様は、一般に、無線通信に関し、さらに詳しくは、第１のラジオ・アクセス技術（ＲＡＴ）から第２のＲＡＴへのハンドオーバ中におけるＲＡＴの異なるレイヤにおけるベアラをアライメントする技術に関する。
【背景技術】
【０００３】
無線通信システムは、例えば音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【０００５】
第３世代ネットワークおよびユーザ機器（ＵＥ）は、世界の至る所で広く使用されている。多くの第３世代ＵＥは、汎用パケット・ラジオ・サービス（ＧＰＲＳ）ネットワークと、発展型ＵＭＴＳ地上ラジオ・アクセス・ネットワーク（Ｅ−ＵＴＲＡＮ）との両方において実施することが可能なデュアル・モードＵＥとなるであろうから、グローバル・システム・フォー・モバイル・コミュニケーション（ＧＳＭ（登録商標））とユニバーサル地上ラジオ・アクセス・ネットワーク（Ｅ−ＵＴＲＡＮ）との間のシステム間ハンドオーバは、ますます重要な役割を果たすことが期待されている。そのようなデュアル・モードＵＥが、２つのネットワーク間に移動する毎に、システム間（すなわち、ＲＡＴ（ラジオ・アクセス技術）間）でのハンドオーバが実行される。例えば、Ｅ−ＵＴＲＡＮへのＲＡＴ間ハンドオーバ手順は、ＵＥを、ＧＳＭシステムからＥ−ＵＴＲＡＮシステムへハンドオーバさせる。したがって、例えばＴＤＭＡ、ＷＣＤＭＡ、ＣＤＭＡ２０００、およびＷＬＡＮのような複数の異なるＲＡＴが、１つの地理的領域に共存しうる。
【０００６】
エンド・ユーザのためのほとんどシームレスなサービスを可能にするために、第３世代のデュアル・モードＵＥは、２つのＲＡＴと通信することができる。その結果、ＵＥとラジオ・アクセス・ネットワークとの両方が、２つの技術間のハンドオーバをサポートできなくてはならない。
【０００７】
一般に、ラジオ・アクセス技術における固有の相違によって、さまざまな問題が、このようなＲＡＴ間ハンドオーバに関連付けられている。例えば、ＧＰＲＳおよびＵＭＴＳでは、ＵＥは、最大１１個のパケット・データ・プロトコル（ＰＤＰ）コンテキストをサポートすることができる。ＰＤＰコンテキストは、ユーザのセッション情報を含んでおり、ＧＰＲＳシステムにおいて、ゲートウェイＧＰＲＳサポート・ノード（ＧＧＳＮ）に登録される。デュアル・モードＵＥが、例えば、ＧＰＲＳシステムまたはＵＭＴＳシステムからＥ−ＵＴＲＡＮへのＲＡＴ間ハンドオーバを実行すると、ＰＤＰコンテキストは、ロング・ターム・イボリューション（ＬＴＥ）発展型パケット・コア（ＥＰＣ）システムにおいて、１対１マッピングによって、発展型パケット・システム（ＥＰＳ）ベアラに変換される。ＬＴＥシステム用のＥＰＣコア・ネットワーク仕様は、ＵＥが、１１個のＥＰＳベアラをサポートすることを要求している。その後、ＬＴＥアクセス・ネットワークでは、ＥＰＳベアラが、データ・ラジオ・ベアラ（ＤＲＢ）に１対１でマッピングされる。これは、ＬＴＥシステムの別の階層によってサポートされているベアラ数の間に、誤ったアライメントをもたらす。なぜなら、ＵＥのラジオ・リソース制御レイヤの仕様は、ＵＥが８個のＤＲＢをサポートすることしか要求していないからである。
【０００８】
したがって、当該技術分野では、例えばＬＴＥシステムのようなラジオ・アクセス技術の別の階層においてサポートされているベアラ数の間でのミスマッチを取り扱うための技術に対するニーズがある。
【発明の概要】
【０００９】
本開示のある態様は、ユーザ機器（ＵＥ）による無線通信のための方法を提供する。この方法は一般に、第２のネットワークへハンドオーバするために、第１のネットワークからメッセージを受信することと、第２のネットワークとのラジオ・リソース制御（ＲＲＣ）接続を確立することと、ＵＥのデータ・ラジオ・ベアラ（ＤＲＢ）能力を、第２のネットワークへ送信することとを含む。ここで、ＤＲＢ能力は、ＵＥによってサポートされているＤＲＢの数を含む。
【００１０】
本開示のある態様は、第１のネットワークによる無線通信のための方法を提供する。この方法は一般に、ユーザ機器のハンドオーバの通知と、ＵＥに関連付けられたコンテキストとを、第１のネットワークとは異なる第２のネットワークから受信することと、ＵＥとのラジオ・リソース制御（ＲＲＣ）接続を確立することと、ＵＥのデータ・ラジオ・ベアラ（ＤＲＢ）能力を受信することと、受信したＵＥコンテキストに基づいて、ＤＲＢをＵＥにセットアップすることとを含む。ここで、ＤＲＢの数は、ＵＥのＤＲＢ能力に等しい。
【００１１】
本開示のある態様は、ユーザ機器（ＵＥ）による無線通信のための装置を提供する。この装置は一般に、第２のネットワークへのハンドオーバのためのメッセージを第１のネットワークから受信するためのロジックと、第２のネットワークとのラジオ・リソース制御（ＲＲＣ）接続を確立するためのロジックと、ＵＥのデータ・ラジオ・ベアラ（ＤＲＢ）能力を、第２のネットワークへ送信するためのロジックとを含む。ここで、ＤＲＢ能力は、ＵＥによってサポートされているＤＲＢの数を含む。
【００１２】
本開示のある態様は、第１のネットワークによる無線通信のための装置を提供する。この装置は一般に、ユーザ機器（ＵＥ）のハンドオーバの通知と、ＵＥに関連付けられたコンテキストとを、第１のネットワークとは異なる第２のネットワークから受信するためのロジックと、ＵＥとのラジオ・リソース制御（ＲＲＣ）接続を確立するためのロジックと、ＵＥのデータ・ラジオ・ベアラ（ＤＲＢ）能力を受信するためのロジックと、受信したＵＥコンテキストに基づいて、ＤＲＢをＵＥにセットアップするためのロジックとを含む。ここで、ＤＲＢの数は、ＵＥのＤＲＢ能力に等しい。
【００１３】
本開示のある態様は、ユーザ機器（ＵＥ）による無線通信のための装置を提供する。この装置は一般に、第２のネットワークへのハンドオーバのためのメッセージを第１のネットワークから受信する手段と、第２のネットワークとのラジオ・リソース制御（ＲＲＣ）接続を確立する手段と、ＵＥのデータ・ラジオ・ベアラ（ＤＲＢ）能力を、第２のネットワークへ送信する手段とを含む。ここで、ＤＲＢ能力は、ＵＥによってサポートされているＤＲＢの数を含む。
【００１４】
本開示のある態様は、第１のネットワークによる無線通信のための装置を提供する。この装置は一般に、ユーザ機器（ＵＥ）のハンドオーバの通知と、ＵＥに関連付けられたコンテキストとを、第１のネットワークとは異なる第２のネットワークから受信する手段と、ＵＥとのラジオ・リソース制御（ＲＲＣ）接続を確立する手段と、ＵＥのデータ・ラジオ・ベアラ（ＤＲＢ）能力を受信する手段と、受信したＵＥコンテキストに基づいて、ＤＲＢをＵＥにセットアップする手段とを含む。ここで、ＤＲＢの数は、ＵＥのＤＲＢ能力に等しい。
【００１５】
ある態様は、ユーザ機器による無線通信のためのコンピュータ・プログラム製品を提供する。このコンピュータ・プログラム製品は、１または複数のプロセッサによって実行されることが可能な、格納された命令群を有するコンピュータ読取可能媒体を備える。これら命令群は一般に、第２のネットワークへのハンドオーバのためのメッセージを第１のネットワークから受信するための命令群と、第２のネットワークとのラジオ・リソース制御（ＲＲＣ）接続を確立するための命令群と、ＵＥのデータ・ラジオ・ベアラ（ＤＲＢ）能力を、第２のネットワークへ送信するための命令群とを含む。ここで、ＤＲＢ能力は、ＵＥによってサポートされているＤＲＢの数を含む。
【００１６】
ある態様は、第１のネットワークによる無線通信のためのコンピュータ・プログラム製品を提供する。このコンピュータ・プログラム製品は、１または複数のプロセッサによって実行されることが可能な、格納された命令群を有するコンピュータ読取可能媒体を備える。これら命令群は一般に、ユーザ機器（ＵＥ）のハンドオーバの通知と、ＵＥに関連付けられたコンテキストとを、第１のネットワークとは異なる第２のネットワークから受信するための命令群と、ＵＥとのラジオ・リソース制御（ＲＲＣ）接続を確立するための命令群と、ＵＥのデータ・ラジオ・ベアラ（ＤＲＢ）能力を受信するための命令群と、受信したＵＥコンテキストに基づいて、ＤＲＢをＵＥにセットアップするための命令群とを含む。ここで、ＤＲＢの数は、ＵＥのＤＲＢ能力に等しい。
【００１７】
本開示のある態様は、ユーザ機器による無線通信のための装置を提供する。
【００１８】
この装置は一般に、第２のネットワークへのハンドオーバのためのメッセージを第１のネットワークから受信し、第２のネットワークとのラジオ・リソース制御（ＲＲＣ）接続を確立し、ＵＥのデータ・ラジオ・ベアラ（ＤＲＢ）能力を、第２のネットワークへ送信するように構成された少なくとも１つのプロセッサを含む。ここで、ＤＲＢ能力は、ＵＥによってサポートされているＤＲＢの数を含む。
【００１９】
本開示のある態様は、第１のネットワークによる無線通信のための装置を提供する。この装置は一般に、ユーザ機器（ＵＥ）のハンドオーバの通知と、ＵＥに関連付けられたコンテキストとを、第１のネットワークとは異なる第２のネットワークから受信し、ＵＥとのラジオ・リソース制御（ＲＲＣ）接続を確立し、ＵＥのデータ・ラジオ・ベアラ（ＤＲＢ）能力を受信し、受信したＵＥコンテキストに基づいて、ＤＲＢをＵＥにセットアップするように構成された少なくとも１つのプロセッサを含む。ここで、ＤＲＢの数は、ＵＥのＤＲＢ能力に等しい。
【図面の簡単な説明】
【００２０】
本開示の上述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある態様にしたがう多元接続無線通信システムを例示する。
【図２】図２は、本開示のある態様にしたがう通信システムのブロック図を例示する。
【図３】図３は、本開示のある態様にしたがって、ハンドオーバ中に、２つのラジオ・アクセス技術（ＲＡＴ）の異なるレイヤにおけるベアラ間のマッピング処理の概略図を例示する。
【図４】図４は、本開示のある態様にしたがう、ユーザ機器（ＵＥ）のＤＲＢ能力の配信、および、ベアラのセットアップのためのフロー図を例示する。
【図５】図５は、本開示のある態様にしたがって、ＲＡＴ間ハンドオーバにおけるベアラ・カウント・アライメントのために、ユーザ機器によって実行される動作を例示する。
【図５Ａ】図５Ａは、図５に例示される動作を実行することが可能な構成要素例を図示する。
【図６】図６は、本開示のある態様にしたがって、ＲＡＴ間ハンドオーバにおけるベアラ・カウント・アライメントのためにネットワークによって実行される動作例を図示する。
【図６Ａ】図６Ａは、図６に例示された動作を実行することが可能な構成要素例を図示する。
【図７】図７は、本開示のある態様にしたがって、ＵＥとネットワークとの間の接続セットアップ時におけるＤＲＢ能力転送例を図示する。
【発明を実施するための形態】
【００２１】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）およびロー・チップ・レート（ＬＣＲ）を含んでいる。ＣＤＭＡ２０００は、ＩＳ−２０００規格、ＩＳ−９５規格、およびＩＳ−８５６規格をカバーする。
【００２２】
ＴＤＭＡネットワークは、例えばグローバル・システム・フォー・モバイル・コミュニケーション（ＧＳＭ（登録商標））のような無線技術を実現することができる。ＯＦＤＭＡネットワークは、例えば発展型ＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ（登録商標）等のようなラジオ技術を実施することができる。ＵＴＲＡ、Ｅ−ＵＴＲＡ、およびＧＳＭ（登録商標）は、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００２３】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと同じ性能、および実質的に同じ全体的な複雑さを有する。ＳＣ−ＦＤＭＡ信号は、その固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。それは現在、３ＧＰＰロング・ターム・イボリューション（ＬＴＥ）または発展型ＵＴＲＡにおけるアップリンク多元接続スキームのために動作していると仮定されている。
【００２４】
図１に示すように、１つの実施形態にしたがう多元接続無線通信システムが例示される。アクセス・ポイント１００（ＡＰ）は、複数のアンテナ・グループを含んでいる。１つは１０４、１０６を含み、他のものは１０８、１１０を含み、さらに他のものは１１２、１１４を含む。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために異なる周波数を使用する。例えば、順方向リンク１２０は、逆方向のリンク１１８によって使用されるものとは異なる周波数を使用することができる。
【００２５】
通信するように設計された領域および／またはアンテナのおのおののグループは、しばしば、アクセス・ポイントのセクタと称される。１つの実施形態では、おのおののアンテナ・グループは、アクセス・ポイント１００によってカバーされた領域のセクタ内のアクセス端末と通信するように設計されている。
【００２６】
順方向リンク１２０、１２６による通信では、アクセス・ポイント１００の送信アンテナは、別のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２７】
アクセス・ポイントは、端末との通信のために使用される固定局であり、ノードＢ、またはその他いくつかの専門用語でも称されうる。アクセス端末はまた、アクセス端末、ユーザ機器（ＵＥ）、無線通信デバイス、端末、アクセス端末、あるいはその他いくつかの専門用語で称されうる。
【００２８】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００２９】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【００３０】
ＭＩＭＯシステムは、時分割デュプレクス（ＴＤＤ）システムあるいは周波数分割デュプレクス（ＦＤＤ）システムをサポートすることができる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【００３１】
実施形態では、おのおののデータ・ストリームが、それぞれの送信アンテナを介して送信される。ＴＸデータ・プロセッサ２１４は、おのおののデータ・ストリームのトラフィック・データ・ストリームをフォーマットし、このデータ・ストリームのために選択された特定の符号化スキームに基づいて符号化し、インタリーブして、符号化されたデータを提供する。
【００３２】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符号化されたデータは、その後、変調シンボルを与えるため、データ・ストリームについて選択された（例えば、バイナリ・フェーズ・シフト・キーイング（ＢＰＳＫ）、直交シフト・キーイング（ＱＰＳＫ）、Ｍ−ＰＳＫ、または直交振幅変調（Ｍ−ＱＡＭ）のような）特定の変調スキームに基づいて変調（すなわち、シンボル・マッピング）される。おのおののデータ・ストリームのデータ・レート、符号化、および変調は、プロセッサ２３０によって実行される命令群によって決定されうる。
【００３３】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００３４】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、ＮＴ個のアンテナ２２４ａ乃至２２４ｔそれぞれから送信される。
【００３５】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３６】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。さらに、プロセッサ２７０は、行列インデクス部およびランク値部を備えた逆方向リンク・メッセージを規定することができる。
【００３７】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３８】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。プロセッサ２３０は、ビームフォーミング重みを計算し、抽出されたメッセージを処理する。
【００３９】
アクセス・ポイントとユーザ機器との間のチャネルは、制御チャネルおよびトラフィック・チャネルに分類される。制御チャネルは、システム制御情報をブロードキャストするためのＤＬチャネルであるブロードキャスト制御チャネル（ＢＣＣＨ）と、ページング情報を伝送するＤＬチャネルであるページング制御チャネル（ＰＣＣＨ）と、１またはいくつかのＭＴＣＨのための、マルチメディア・ブロードキャストおよびマルチメディア・サービス（ＭＢＭＳ）スケジューリングと、制御情報とを送信するために使用されるポイント・トゥ・マルチポイントＤＬチャネルであるマルチキャスト制御チャネル（ＭＣＣＨ）とを備える。
【００４０】
（ＲＡＴ間ハンドオーバ中におけるベアラ・カウント・アライメント）
汎用パケット・ラジオ・サービス（ＧＰＲＳ）あるいはユニバーサル・モバイル・テレコミュニケーション・システム（ＵＭＴＳ）ネットワークでは、おのおののパケット・データ・プロトコル（ＰＤＰ）アドレスが、ゲートウェイＧＰＲＳサポート・ノード（ＧＧＳＮ）にアンカされる。ＰＤＰアドレスへ向けられて公衆パケット・データ・ネットワークから送信されたすべてのパケット・データ・トラフィックは、ゲートウェイＧＧＳＮを通過する。データが移動すると、ＵＥは、ＵＥの現在のサービス提供ＧＰＲＳサポート・ノード（ＳＧＳＮ）と、ＰＤＰアドレスにアンカしているＧＧＳＮとの間の関連付けを確立するために、ＰＤＰアドレスをアクティブにする。この関連付けに関してＳＧＳＮおよびＧＧＳＮによって維持される記録が、ＰＤＰコンテキストである。ＧＰＲＳネットワークおよびＵＭＴＳネットワークでは、ＵＥは、最大１１個ののＰＤＰコンテキストをサポートすることができる。
【００４１】
デュアル・モードＵＥが、１つのラジオ・アクセス技術（ＲＡＴ）から別のＲＡＴへ（例えば、ＧＰＲＳシステムまたはＵＭＴＳシステムから、Ｅ−ＵＴＲＡＮ（発展型ＵＭＴＳ地上ラジオ・アクセス・ネットワークへ）ハンドオーバすると、ＰＤＰコンテキストが、新たなＲＡＴへマッピングされる。
【００４２】
例えば、ＧＰＲＳネットワークとＥ−ＵＴＲＡＮネットワークとの間のＲＡＴ間ハンドオーバの場合、ＰＤＰコンテキストは、ＬＴＥコア・ネットワーク内の発展型パケット・システム（ＥＰＳ）ベアラへと、１対１マッピングによって変換される。ＧＰＲＳネットワークは、最大１１個のＰＤＰコンテキストをサポートし、ＬＴＥのためのコア・ネットワーク仕様は、ＵＥが１１個のＥＰＳベアラをサポートすることを仮定しているので、このマッピングは、問題無く実行されうる。一方、ＥＰＳベアラは、ＬＴＥのアクセス階層において、データ・ラジオ・ベアラ（ＤＲＢ）へ１対１にマップされる。しかしながら、ＬＴＥのラジオ・リソース制御（ＲＲＣ）仕様は、ＵＥが８個のＤＲＢをサポートすることしか要求していない。したがって、ＥＰＳベアラの数が、サポートされているＤＲＢの数よりも多い場合、ＥＰＳベアラのＤＲＢへの１対１のマッピングが可能ではない場合がある。
【００４３】
図３は、本開示のある態様にしたがって、ハンドオーバ中に、Ｅ−ＵＴＲＡＮネットワーク３０８へのＧＥＲＡＮ／ＵＴＲＡＮネットワーク３０２の別のレイヤにおけるベアラ間のマッピング処理の概略図を例示する。ＧＥＲＡＮは、ＧＳＭ  ＥＤＧＥラジオ・アクセス・ネットワークを表し、ＧＳＭは、グローバル・システム・フォー・モバイル・コミュニケーションを表し、ＥＤＧＥは、エンハンスト・データ・レート・フォーＧＳＭイボリューションを表す。
【００４４】
図３に例示されるように、ＧＥＲＡＮ／ＵＴＲＡＮネットワーク内のラジオ・ベアラ３１０は、ＧＰＲＳコア３０４内のＰＤＰコンテキスト３１２に１対１にマッピングされうる。ハンドオーバ中、ＧＰＲＳコア３０４内のＰＤＰコンテキストは、ＬＴＥネットワークのＥＰＣコア内のＥＰＳベアラにマッピングされうる。しかしながら、図示されるように、Ｅ−ＵＴＲＡＮネットワークの現在のバージョンでは、最大８個のＤＲＢしかサポートされていない一方、ＥＰＣでは、最大１１個ののＥＰＳベアラがサポートされているので、ＥＰＣコア内のＥＰＳベアラと、Ｅ−ＵＴＲＡＮ内のＤＲＢとの間の１対１のマッピングは可能ではないことがある。その結果、ＧＥＲＡＮまたはＵＴＲＡＮからのＵＥが、ＬＴＥにハンドオーバした場合、既存のＰＤＰコンテキストのすべてを再マッピングするために必要なＥＰＳベアラのために十分なデータ・ラジオ・ベアラを確立することは可能ではないことがある。
【００４５】
ＬＴＥにおけるベアラ・カウントの誤ったアライメントに対する１つの解決策は、８個ではなく、１１個のＤＲＢをサポートすることを、すべてのＵＥに対して要求することでありうる。しかしながら、これは、ＵＥ実装の変更を要求するだろう。本開示では、２つのラジオ・アクセス技術間のハンドオーバ中のベアラのアライメントのためのシグナリング・アプローチが示される。
【００４６】
図４は、本開示のある態様にしたがって、ＵＥのＤＲＢ能力の配信およびベアラのセットアップのためのフロー図４００を例示する。ＧＥＲＡＮ／ＵＴＲＡＮネットワーク４０２は、ＵＥ４１０のＥ−ＵＴＲＡＮネットワーク４０８へのハンドオーバを開始しうる。ＧＰＲＳコア４０４は、このハンドオーバをターゲット・ネットワークに通知し、ＰＤＰコンテキストを含むＵＥコンテキストをＥＰＣ４０６へ送信する。ＧＥＲＡＮ／ＵＴＲＡＮネットワークは、このハンドオーバを通知するために、ハンドオーバ・シグナリング４１８をＵＥへ送信する。
【００４７】
ＥＰＣコアは、Ｅ−ＵＴＲＡＮネットワークと、初期ＥＰＳベアラ・セットアップ４２０を実行する。この「初期ＥＰＳベアラ・セットアップ」ステージは、ＥＰＳベアラのみを確立するので、ネットワークは、ＵＥが（最低能力を）サポートしうることを前もって知ることができる。その後、Ｅ−ＵＴＲＡＮネットワークは、ＵＥとのラジオ・リソース制御（ＲＲＣ）接続４２２を確立する。ＵＥは、Ｅ−ＵＴＲＡＮネットワークとの初期ＤＲＢセットアップ４２４を実行し、ＤＲＢ能力のレポートを、Ｅ−ＵＴＲＡＮネットワークおよびＥＰＣコアへ送信する。ＵＥがサポート可能なＤＲＢの数に依存して、ＥＰＣは、ＥＰＳベアラのいくつかを解放しうる。ＵＥが最低数よりも多くのＤＲＢをサポートできる場合、ＥＰＣレイヤは、残りのＥＰＳベアラ４２８をＥ−ＵＴＲＡＮネットワークにセットアップする。その後、Ｅ−ＵＴＲＡＮネットワークは、残りのＤＲＢ４３０をＵＥにセットアップする。
【００４８】
本開示のある態様について、ＵＥは、最低数である８個よりも多くのＤＲＢをサポートできるようになる。さらに、ＵＥは、サポートされているベアラの実際の数を、ＵＥ能力として、ターゲット・ネットワークへ示すことができる。ＵＥが、ＥＰＣからサービスを受信し始めたとき、ネットワークは、ネットワークがＲＡＴ間ハンドオーバのためのセットアップを行うことを期待しているすべてのＥＰＳベアラをＵＥがサポートするのかを判定するために、この能力を調べうる。
【００４９】
ある態様の場合、ＥＰＣは、ＥＰＣベアラを設定する前に、ＵＥのＤＲＢ能力を受信することを待つことができる。しかしながら、代替態様では、パフォーマンス上の理由で、ＥＰＣは、いくつかのベアラを可能な限り早期に確立する。例えば、ＥＰＣは、ＵＥのＤＲＢ能力を受信する前に、すべてのＵＥによってサポートされている最低数のＥＰＳに等しいＥＰＳベアラ数をセットアップする。ＥＰＣは、ＵＥによってサポートされているＤＲＢベアラの実際の数についての情報を受信した後に、残りのＥＰＳベアラをセットアップする。ＥＰＣは、例えばレイテンシ許容度またはトラフィック・クラスのようなベアラ特性に基づいて、このような初期ステージにおいて、どのベアラがセットアップされるべきかを選択する。したがって、中断に対して低い許容度しか持たないサービスに関連するベアラは、ハンドオーバから低いインパクトしか受けない。
【００５０】
図５は、本開示のある態様にしたがって、ＲＡＴ間ハンドオーバにおけるベアラ・カウント・アライメントのためにユーザ機器によって実行される動作例を示す。５０２では、ＵＥは、第２のネットワークへハンドオーバするためのメッセージを、第１のネットワークから受信する。ここで、第１のネットワークは、ＧＥＲＡＮ／ＵＴＲＡＮであり、第２のネットワークは、Ｅ−ＵＴＲＡＮである。５０４では、ＵＥが、第２のネットワークとのラジオ・リソース制御（ＲＲＣ）接続を確立する。５０６では、ＵＥが、第２のネットワークに初期ＤＲＢをセットアップする。ここで、ＵＥは、最低数のＤＲＢをセットアップする。このＤＲＢの最低数は、すべてのＵＥの間で共通である。５０８では、ＵＥが、第２のネットワークにＵＥのＤＲＢ能力を送信する。５１０では、ＵＥが、残りのＤＲＢを第２のネットワークにセットアップする。
【００５１】
図６は、本開示のある態様にしたがって、ＲＡＴ間ハンドオーバにおけるベアラ・カウント・アラインメントのための動作例を示す。６０２では、第１のネットワークが、ＵＥのハンドオーバの通知と、ＰＤＰコンテキストを含むＵＥのコンテキストとを、第２のネットワークから受信する。ここで、第１のネットワークは、Ｅ−ＵＴＲＡＮであり、第２のネットワークは、ＧＥＲＡＮ／ＵＴＲＡＮである。６０４では、第１のネットワークが、ＵＥとのＲＲＣ接続を確立する。ある態様の場合、第１のネットワークは、ＲＲＣ接続セットアップ中、ＵＥのＤＲＢ能力を受信することができる。
【００５２】
６０６では、第１のネットワークは、最初のＤＲＢをＵＥにセットアップすることができる。いくつかの態様の場合、第１のネットワークは、いずれかのＤＲＢをＵＥにセットアップする前に、ＵＥのＤＲＢ能力を受信するまで待つことができる。６０８では、第１のネットワークが、ＵＥのＤＲＢ能力を受信する。６１０では、第１のネットワークが、ＵＥの能力に基づいて、残りのＤＲＢをＵＢにセットアップする。
【００５３】
１つの態様では、ＵＥのＵＥ  ＤＲＢ能力のシグナリングが、アクセス階層機能または非アクセス（ＮＡＳ）階層機能のように、ＵＥ能力を送信するための既存のメカニズムを用いてネットワークへ配信されうる。アクセス階層は、ＲＲＣレイヤ、ＰＤＣＰ（パケットデータ収束プロトコル）レイヤ、ＲＬＣ（ラジオ・リンク制御）レイヤ、およびＭＡＣ（媒体アクセス制御）レイヤを含むことができる。非アクセス階層は、ＭＭ（モビリティ管理）およびＳＭ（セッション管理）を含むことができる。
【００５４】
本開示のある態様の場合、ＲＲＣ接続設立処理中に、ＤＲＢ能力が個別に転送される。このスキームによって、ネットワークは、ＲＲＣ接続が確立されるや否や、いずれかのＥＰＳベアラを解放して、セットアップ可能なベアラをセットアップすべきかを判断できるようになる。
【００５５】
図７は、本開示のある態様にしたがって、ＵＥ７０６とネットワークとの間の接続セットアップ時におけるＤＲＢ能力の転送例のフロー図７００を示す。図７は、図４の部分７２０を実行するための代替方法を示す。ＵＥは、Ｅ−ＵＴＲＡＮネットワーク７０４へＲＲＣ接続要求７０８を送信する。Ｅ−ＵＴＲＡＮは、ＵＥにＲＲＣ接続セットアップ・メッセージ７１０を送る。ＵＥは、ＲＲＣセットアップの完了を示すために、ＲＲＣ接続セットアップ完了メッセージ７１２をターゲット基地局へ送信する。さらに、ＵＥは、ＤＲＢ能力を示すフィールドを、ＲＲＣ接続セットアップ完了メッセージ内に含めることができる。Ｅ−ＵＴＲＡＮレイヤは、ＵＥ  ＤＲＢ能力７１４のレポートを、ＥＰＣ７０２へ送信することができる。これから、ＥＰＣは、ＵＥによってサポートされているＤＲＢの数が、ＥＰＳベアラの数よりも少ない場合、ＥＰＣベアラのうちのいくつかを解放することができる。その後、Ｅ−ＵＴＲＡＮネットワークは、すべてのＤＲＢをセットアップするために、ＵＥとのＲＲＣ接続再設定を実行することができる（７１８）。
【００５６】
本開示のある態様の場合、ＲＲＣ接続セットアップ完了メッセージは、ＵＥがサポートしうるＤＲＢベアラの数を示すフィールドを含めることができる。いくつかの態様の場合、このフィールドは、８個のＤＲＢまたは１１個のＤＲＢのいずれかをサポートする２つの設定を表す１ビットのみを有する。別の典型的な態様では、ＲＲＣ接続セットアップ完了メッセージは、ＵＥが任意の数のＤＲＢをサポートしていることを示す２ビットのフィールドを含むことができる。例えば、この２ビットのフィールドＮＤＲＢは、ＵＥが、８＋ＮＤＲＢ個のＤＲＢベアラをサポートしていることを示すことができる。サポートされているＤＲＢ数を示すために適用されているビット数およびシグナリング・フォーマットは、サポートされているＤＲＢ数を反映するための将来のアーキテクチャのために適合されうる。
【００５７】
本開示のある態様の場合、ＤＲＢ能力は、ＲＲＣ接続要求メッセージ７０８で転送される。しかしながら、ＲＲＣ接続要求メッセージ７０８は、ＲＲＣ接続セットアップ完了メッセージ７１２よりも帯域幅が制限されている。
【００５８】
上述した方法のさまざまな動作は、図面に例示されるｍｅａｎｓ−ｐｌｕｓ−ｆｕｎｃｉｔｏｎブロックに対応するさまざまなハードウェア構成要素および／またはソフトウェア構成要素によって実施されうる。例えば、図５に例示されるブロック５０２−５１０は、図５Ａに例示されるｍｅａｎｓ−ｐｌｕｓ−ｆｕｎｃｉｔｏｎブロックに対応する。さらに、図６に例示されるブロック６０２−６１０は、図６Ａに例示されるｍｅａｎｓ−ｐｌｕｓ−ｆｕｎｃｉｔｏｎブロックに対応する。より一般的には、対応するｍｅａｎｓ−ｐｌｕｓ−ｆｕｎｃｉｔｏｎブロック図を有する図面に例示された方法がある場合、動作ブロックは、同様に付番されたｍｅａｎｓ−ｐｌｕｓ−ｆｕｎｃｉｔｏｎブロックに対応する。
【００５９】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくは他のプログラマブル論理デバイス（ＰＬＤ）、ディスクリート・ゲートもしくはトランジスタロジック、ディスクリート・ハードウェア構成要素、または本明細書で説明される機能を実行するように設計されたその任意の組合せを用いて実施しまたは実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。
【００６０】
本開示に関連して説明された方法またはアルゴリズムのステップを、ハードウェアで直接に、プロセッサによって実行されるソフトウェア・モジュールで、またはこの２つの組合せで実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００６１】
本明細書で開示される方法は、説明される方法を達成するための１または複数のステップまたはアクションを備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００６２】
記載された機能は、ハードウェア、ソフトウェア、ファームウェア、またはこれら任意の組み合わせによって実現されうる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で用いられるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、ディジタル・バーサタイル・ディスク（ｄｉｓｃ）（ＤＶＤ）、フロッピー（登録商標）ディスク（ｄｉｓｋ）、ブルー・レイ・ディスク（ｄｉｓｃ）を含む。ここで、ｄｉｓｋは、通常、データを磁気的に再生し、ｄｉｓｃは、データをレーザを用いて光学的に再生する。
【００６３】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００６４】
さらに、本明細書で説明される方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００６５】
特許請求の範囲が、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００６６】
上記記載は、本発明の実施形態を対象とされているが、本発明の他の実施形態およびさらなる実施形態が、本発明の基本的な範囲から逸脱することなくなされ、本発明の他の実施形態およびさらなる実施形態の範囲は、特許請求の範囲によって決定される。
【図１】
2012503452.tif 000003
【図２】
2012503452.tif 000004
【図３】
2012503452.tif 000005
【図４】
2012503452.tif 000006
【図５】
2012503452.tif 000007
【図５Ａ】
2012503452.tif 000008
【図６】
2012503452.tif 000009
【図６Ａ】
2012503452.tif 000010
【図７】
2012503452.tif 000011
【国際調査報告】
2012503452.tif 000012
2012503452.tif 000013
2012503452.tif 000014